(57)【特許請求の範囲】
【請求項１】
パチンコ遊技機の裏側上部に設けられて多数のパチンコ球を貯留球として貯留し得る球貯留排出経路部と、上・下の球皿に連通する賞球払出路の上部に配設された球払出装置および機外に連通する球排出路との間に設けられ、前記球貯留排出経路部内の貯留球を前記球払出装置または前記球排出路へ通出するのを許容したり規制したりするパチンコ遊技機における貯留球の通出・規制機構であって、
前記球貯留排出経路部の球送出路と前記球払出装置の球通路とを連通接続する球送出案内路と、この球送出案内路の途中から分岐して前記球排出路に連通接続する球抜案内路とを形成した球送出路部と、
前記球送出路部における前記球送出案内路に臨んで配設され、常には第１位置にあって前記球送出案内路の球送出口を開放して、該球送出案内路内に貯留された貯留球が該球送出口から通出するのを許容する一方、前記第１位置から第２位置へ到来させることで前記球送出口を閉成して、前記球送出案内路内に貯留された貯留球が該球送出口から通出するのを規制する貯留球通出規制部材と、
前記球送出路部における前記球送出案内路と前記球抜案内路との分岐部位に臨んで配設され、常には第１位置にあって前記球抜案内路の球通入口を閉成して、前記球送出案内路内に貯留された貯留球が該球抜案内路へ通出するのを規制する一方、前記第１位置から第２位置へ到来させることで前記球通入口を開放して、前記球送出案内路内に貯留された貯留球が該球抜案内路へ通出するのを許容する貯留球通出切換部材とからなり、
前記貯留球通出規制部材は、
前記球送出路部に設けた第１収容設置部に摺動自在に挿通されて前記球送出案内路と交差し、該球送出案内路の球送出口に近接して臨んだ状態で前記第１位置と第２位置との間を移動可能な規制板部と、前記規制板部の適宜位置に開設されて前記貯留球を通過させ得る寸法に設定した球通過口と、前記規制板部の第１位置において前記球送出口から退避し、該規制板部の第２位置において該球送出口に延出して前記貯留球に下方から当接し、前記球通過口の開口端縁から離間するにつれて上方傾斜する球規制片部と、前記規制板部に弾性変形可能に設けられて前記球送出路部に設けた第１係合部に係脱自在に係合する係合片とからなり、
前記係合片を第１係合部に係合させることで前記規制板部が前記第１位置に到来して、前記球通過口と前記球送出口とを全面的に連通させて球送出案内路内の貯留球が該球送出口から通出されるのを許容する一方、前記係合片と前記第１係合部との係合を解除して前記規制板部を前記第２位置へ到来させることで、前記球規制片部により前記球通過口と前記球送出口とを部分的にのみ連通させ、球送出案内路内の貯留球が該球送出口から通出されるのを規制するよう構成され、
前記貯留球通出切換部材は、
前記球送出路部に設けた第２収容設置部に摺動自在に挿通されて前記球抜案内路と交差し、該球抜案内路の球通入口に近接して臨んだ状態で前記第１位置と第２位置との間を移動可能な規制板部と、前記規制板部の適宜位置に開設されて前記貯留球を通過させ得る寸法に設定した球通過口と、前記規制板部に押圧変形可能に設けられて前記球送出路部に設けた第２係合部に係脱自在に係合する係合片とからなり、
前記係合片を第２係合部に係合させることで前記規制板部が前記第１位置に到来して、前記球通過口と前記球通入口とを部分的にのみ連通させて球送出案内路内の貯留球が該球通入口から球抜案内路へ通出されるのを規制する一方、前記係合片と前記第２係合部との係合を解除して前記規制板部を前記第２位置へ到来させることで、前記球通過口と前記球通入口とを全面的に連通させて球送出案内路内の貯留球が球通入口から球抜案内路へ通出されるのを許容するよう構成される
ことを特徴とするパチンコ遊技機における貯留球の通出・規制機構。
【請求項２】
前記貯留球通出規制部材は、前記規制板部の一方端部に設けられて該規制板部を前記第１収容設置部に挿通した際に球送出路部の外側に当接する把持片と、前記把持片から立設した支持片を中心に揺動可能な姿勢保持部とを備え、
前記姿勢保持部は、前記支持片の上部から前記規制板部と並行して延出する前記係合片と、該支持片の上部から該係合片と反対側へ延出して前記把持片の側方に位置する操作片とを有し、
前記操作片の非操作時には、前記係合片が前記第１係合部と係合し、前記操作片を前記把持片側へ押圧操作することで、前記係合片と前記第１係合部との係合を解除し得る請求項１記載のパチンコ遊技機における貯留球の通出・規制機構。
【請求項３】
前記貯留球通出規制部材は、その規制板部を前記第２位置へ到来させた際に、前記球送出路部に設けた第１係合片と該規制板部の移動方向で係合する係合部を該規制板部に備え、
前記規制板部の第２位置では、前記第１係合片に前記係合部が係合すると共に、前記係合片の先端が前記球送出路部における前記第１係合部の周囲壁面に当接することで、第２位置での位置決めおよび該球送出路部からの脱落防止が図られる請求項１または２記載のパチンコ遊技機における貯留球の通出・規制機構。
【請求項４】
前記貯留球通出切換部材は、前記規制板部の一方端部に設けられて該規制板部を前記第２収容設置部に挿通した際に球送出路部の外側に当接する把持片と、前記把持片から立設した支持片を中心に揺動可能な姿勢保持部とを備え、
前記姿勢保持部は、前記支持片の上部から前記規制板部と並行して延出する前記係合片と、該支持片の上部から該係合片と反対側へ延出して前記把持片の側方に位置する操作片とを有し、
前記操作片の非操作時には、前記係合片が前記第２係合部と係合し、前記操作片を前記把持片側へ押圧操作することで、前記係合片と前記第２係合部との係合を解除し得る請求項１〜３の何れか一項に記載のパチンコ遊技機における貯留球の通出・規制機構。
【請求項５】
前記貯留球通出切換部材は、その規制板部を前記第２位置へ到来させた際に、前記球送出路部に設けた第２係合片と該規制板部の移動方向で係合する係合部を該規制板部に備え、
前記規制板部の第２位置では、前記第２係合片に前記係合部が係合すると共に、前記係合片の先端が前記球送出路部における前記第２係合部の周囲壁面に当接することで、第２位置での位置決めおよび該球送出路部からの脱落防止が図られる請求項１〜４の何れか一項に記載のパチンコ遊技機における球貯留の通出・規制機構。
【請求項６】
前記賞球払出路の上部に貸球用の第１球払出装置と賞球用の第２球払出装置とが配設され、前記球送出路部は、前記第１球払出装置に整合連通する貸球用の第１球送出案内路と、この第１球送出案内路と平行に延在して前記第２球払出装置に整合連通する賞球用の第２球送出案内路とを有し、
前記貯留球通出規制部材および前記貯留球通出切換部材の各規制板部は、前記第１および第２の収容設置部に挿通させた際に前記第１球送出案内路および第２球送出案内路と交差しながら摺動自在に配設され、これら第１球送出案内路および第２球送出案内路内の各貯留球に対する通出許容および通出規制を同時に行ない得るようになっている請求項１〜５の何れか一項に記載のパチンコ遊技機における球貯留の通出・規制機構。
【発明の詳細な説明】
【０００１】
【発明の属する技術分野】
この発明は、パチンコ遊技機における貯留球の通出・規制機構に関し、更に詳細には、パチンコ遊技機の裏側上部に設けられて多数のパチンコ球を貯留球として貯留し得る球貯留排出経路部と、上・下の球皿に連通する賞球払出路の上部に配設された球払出装置および機外に連通する球排出路との間に設けられ、前記球貯留排出経路部内の貯留球を前記球払出装置または前記球排出路へ通出するのを許容したり規制したりするパチンコ遊技機における貯留球の通出・規制機構に関するものである。
【０００２】
【従来の技術】
パチンコ機やアレンジボール機に代表されるこの種のパチンコ遊技機は、遊技ホール内の設置枠台(通称「島」)に縦向きの姿勢で設置され、球送り装置および打球発射装置の協働に基いて上球皿内から発射位置に送込まれた遊技球を遊技盤内へ打出して所要のパチンコゲームを行ない得る。そして機内の遊技盤内で展開されるパチンコゲーム中に成立した入賞(例えばセーフ球の発生や図柄組合わせによる得点)に対し、機裏側の機構セット盤に形成配置した球容器(球タンク)や整流路および球送出路等から構成される球貯留排出経路部内に貯留されたパチンコ球(貯留球)が、前記球送出路における球送出口の下方に配設した球払出装置の払出し作動毎に所定数の賞球として払出され、この球払出装置の下方に形成された賞球払出路を介して機前側の上球皿または下球皿側へ給出されるようになっている。一方、貸球用のカードおよびカードユニットを利用して貯留球を貸出し得るタイプの遊技機(一般に「カード式パチンコ遊技機」ともいう)では、前述した賞球払出しとは別に、遊技者による適正な球貸し操作に応答して前記球払出装置または別途設置された別の球払出装置の払出し作動により、球貯留排出経路部内の貯留球が所定数の貸球として前記賞球払出路を介して上球皿側へ給出されるようになっている。
【０００３】
前記球貯留供給経路部内には、遊技盤内でのパチンコゲームにおいて所謂「大当り」の特別遊技状態が発生しても円滑に賞球を払出し得るように、機外の球補給設備から適時にパチンコ球を補充投入して常に一定量以上のパチンコ球が貯留球として貯留されている。このため、例えば前記球貯留排出経路部の点検・修理や、前記球払出装置の取外し点検および新品交換に際しては、該球貯留排出経路部内の貯留球を所定位置で一時的に球止め(通出規制)し得ることが望まれている。そこで前記パチンコ遊技機にあっては、貯留球に対する「球止め技術」として、例えば前記球貯留排出経路部の下流部上方(球送出路部の適宜位置)に鈎形状をなす回動式の貯留球通出規制部材を配設して、球払出装置の取外しに先立つ球止め時には、この規制部材を通常の通出許容位置(第１位置)から通出規制位置(第２位置)に回動変位させ、その爪部で球貯留排出経路部内の貯留球を受止めることで規制位置から上流側の球容器に至る貯留球を通出規制(阻止)し得るようになっている。
【０００４】
一方、前述のパチンコ遊技機では、機全体のメンテナンスやパチンコ球の入球・出球管理等に際して、前記球貯留排出経路部に貯留された全ての貯留球を抜取る必要が生ずる。そこで、貯留球に対する「球抜き技術」として、前記賞球払出路と該賞球払出路から分岐形成した球抜き路との分岐連絡部に回動レバー形態の切換部材を配設して、前記球払出装置の連続作動に基づく球抜き時には、この切換部材を通常の球払出し位置(第１位置)から球抜き位置(第２位置)に変位保持させることで、球貯留排出経路部内の貯留球を球抜き路から機外へ放出し得るようになっている。この切換部材は、例えば前枠の正面側部に形成された操作孔から挿入した操作杆によるスイッチ操作に基づいて作動する電動タイプの球流路切換装置を構成する部材であって、該操作杆によるスイッチの検出入力に基づいた電磁ソレノイドの駆動制御により前記第１位置および第２位置に回動変位される。
【０００５】
【発明が解決しようとする課題】
ところで、前述した「球止め技術」では、貯留球通出規制部材の通出規制位置から下流に貯留された貯留球の通出規制を図り得ないため、前記球払出装置を取外した際には、相当数をやむなく通出落下させざるを得ない。また、点検・修理済みの球払出装置の組付けセット後に、球詰まりまたは球切り状態が不十分である場合には、同装置の再度の取外し点検に伴って再び相当数が通出落下する結果を招来してしまっていた。殊に、前記カード式パチンコ遊技機においては、前記球送出路部が貸球用の球送出路(第１球送出路)と、賞球用の球送出路(第２球送出路)とから構成されており、これら第１球送出路および第２球送出路に、単独操作される専用の前記貯留球通出規制部材を個別に配設するようになっていた。このため、球貯留排出経路部内における第１球送出路内および第２球送出路内の夫々の貯留球に対する通出規制および通出許容に関しては、各貯留球通出規制部材を別々に操作する必要があるから面倒で煩雑な操作を伴う欠点を有していると共に、部品点数の増加に伴う組付作業工数の増加および製造コストのアップ等を招来する問題等を内在していた。
【０００６】
一方、前述した「球抜き技術」では、球抜き用のスイッチが前述した操作杆以外の針金状材等でも簡単に操作検出されてしまい、貯留球の不正球抜き獲得を防止し得ないという大きな問題を内在していた。すなわち、遊技機の構成並びに両装置の形態等を熟知した不正者が、平常の遊技を装う姿勢で上球皿に連絡する供給口から前記賞球払出路内へ侵入させた線状の不正物を、巧みに操りながら上方部に位置する球流路切換装置側へ挿入させて該不正物で切換部材を球払出し位置に拘束保持したもとで、前記スイッチを不正に操作して全ての貯留球を上球皿または下球皿へ給出するという不正行為を阻止できなかった。換言すると、前述した電動タイプの球払出装置と球流路切換装置とを併用状態で装備している多くのパチンコ遊技機では、正常な球抜き操作により全ての貯留球を機外へ抜出し得る便利な機能を有する反面、前述したような不正球抜き操作による獲得を許してしまう欠点を内在しており、これを好適に阻止できなかった。
【０００７】
また前記球流路切換装置では、切換部材の作動手段として、リニアタイプやロータリータイプの電磁ソレノイドが実施されていた。しかるにリニアタイプのソレノイドでは、ロッドが直線的に往復動する形態であるため、該ロッドの直動変位を切換部材の回動変位に変換する連繋部材を必要とし、切換部材の作動系が複雑となって作動不良が発生し易くなると共に、装置全体が大型化する欠点があった。またロータリータイプの電磁ソレノイドでは、ロッドに前記切換部材を直結し得るので作動系が簡素となり作動不良等の不具合を防止し得る利点はあるが、その反面、円形の外郭体が大型で設置面積を多く要することにより、装置全体の小型化を困難にすることとなっていた。
【０００８】
更に従来のパチンコ遊技機では、前記貯留球通出規制部材を球払出装置の上流部位(球貯留排出経路部の下流部)に配設し、前記切換部材を含む球流路切換装置を球払出装置の下流部位に配設するのが一般的な構成とされていたから、前述した「球止め技術」と「球抜き技術」とは全く目的の異なった別々の技術として考慮されていた。すなわち従来では、前述した貯留球通出規制部材および切換部材(球流路切換装置)を機構セット盤の異なる部位に別々に設けるものであったから、機構セット盤の設置スペースの有効利用を図り得ないものとなっていた。しかも、貯留球通出規制部材は機構セット盤に直接的に装着されるようになっており、製造工程の簡素化や作業性の向上等を図るうえでも支障を来していた。
【０００９】
【発明の目的】
本発明は、前述した従来の技術に内在している前記課題に鑑み、これを好適に解決するべく提案されたものであって、球貯留排出経路部と球払出装置および球排出路の間に、球送出案内路および球抜案内路を形成した球送出路部を設け、前記球送出案内路内の貯留球が球払出装置へ通出するのを許容または規制する貯留球通出規制部材と、該球送出案内路内の貯留球が前記球抜案内路へ通出するのを規制または許容する貯留球通出切換部材とを前記球送出路部に配設することで、設置スペースの有効利用および不正球抜き獲得の防止等を図ったパチンコ遊技機における貯留球の通出・規制機構を提供することを目的とする。
【００１０】
【課題を解決するための手段】
前述した課題を克服し、所期の目的を好適に達成するため本発明は、パチンコ遊技機の裏側上部に設けられて多数のパチンコ球を貯留球として貯留し得る球貯留排出経路部(14)と、上・下の球皿に連通する賞球払出路(Q)の上部に配設された球払出装置(L1,L2)および機外に連通する球排出路(R)との間に設けられ、前記球貯留排出経路部(14)内の貯留球を前記球払出装置(L1,L2)または前記球排出路(R)へ通出するのを許容したり規制したりするパチンコ遊技機における貯留球の通出・規制機構であって、
前記球貯留排出経路部(14)の球送出路(24a,24b)と前記球払出装置(L1,L2)の球通路(87,87)とを連通接続する球送出案内路(29a,29b)と、この球送出案内路(29a,29b)の途中から分岐して前記球排出路(R)に連通接続する球抜案内路(30)とを形成した球送出路部(28)と、
前記球送出路部(28)における前記球送出案内路(29a,29b)に臨んで配設され、常には第１位置にあって前記球送出案内路(29a,29b)の球送出口(29c,29d)を開放して、該球送出案内路(29a,29b)内に貯留された貯留球が該球送出口(29c,29d)から通出するのを許容する一方、前記第１位置から第２位置へ到来させることで前記球送出口(29c,29d)を閉成して、前記球送出案内路(29a,29b)内に貯留された貯留球が該球送出口(29c,29d)から通出するのを規制する貯留球通出規制部材(60)と、
前記球送出路部(28)における前記球送出案内路(29a,29b)と前記球抜案内路(30)との分岐部位に臨んで配設され、常には第１位置にあって前記球抜案内路(30)の球通入口(30a,30b)を閉成して、前記球送出案内路(29a,29b)内に貯留された貯留球が該球抜案内路(30)へ通出するのを規制する一方、前記第１位置から第２位置へ到来させることで前記球通入口(30a,30b)を開放して、前記球送出案内路(29a,29b)内に貯留された貯留球が該球抜案内路(30)へ通出するのを許容する貯留球通出切換部材(75)とからなり、
前記貯留球通出規制部材(60)は、
前記球送出路部(28)に設けた第１収容設置部(56)に摺動自在に挿通されて前記球送出案内路(29a,29b)と交差し、該球送出案内路(29a,29b)の球送出口(29c,29d)に近接して臨んだ状態で前記第１位置と第２位置との間を移動可能な規制板部(61)と、前記規制板部(61)の適宜位置に開設されて前記貯留球を通過させ得る寸法に設定した球通過口(64,65)と、前記規制板部(61)の第１位置において前記球送出口(29c,29d)から退避し、該規制板部(61)の第２位置において該球送出口(29c,29d)に延出して前記貯留球に下方から当接し、前記球通過口(64,65)の開口端縁から離間するにつれて上方傾斜する球規制片部(66,67)と、前記規制板部(61)に弾性変形可能に設けられて前記球送出路部(28)に設けた第１係合部(49)に係脱自在に係合する係合片(69)とからなり、
前記係合片(69)を第１係合部(49)に係合させることで前記規制板部(61)が前記第１位置に到来して、前記球通過口(64,65)と前記球送出口(29c,29d)とを全面的に連通させて球送出案内路(29a,29b)内の貯留球が該球送出口(29c,29d)から通出されるのを許容する一方、前記係合片(69)と前記第１係合部(49)との係合を解除して前記規制板部(61)を前記第２位置へ到来させることで、前記球規制片部(66,67)により前記球通過口(64,65)と前記球送出口(29c,29d)とを部分的にのみ連通させ、球送出案内路(29a,29b)内の貯留球が該球送出口(29c,29d)から通出されるのを規制するよう構成され、
前記貯留球通出切換部材(75)は、
前記球送出路部(28)に設けた第２収容設置部(58)に摺動自在に挿通されて前記球抜案内路(30)と交差し、該球抜案内路(30)の球通入口(30a,30b)に近接して臨んだ状態で前記第１位置と第２位置との間を移動可能な規制板部(76)と、前記規制板部(76)の適宜位置に開設されて前記貯留球を通過させ得る寸法に設定した球通過口(79,80)と、前記規制板部(76)に押圧変形可能に設けられて前記球送出路部(28)に設けた第２係合部(50)に係脱自在に係合する係合片(81)とからなり、
前記係合片(81)を第２係合部(50)に係合させることで前記規制板部(76)が前記第１位置に到来して、前記球通過口(79,80)と前記球通入口(30a,30b)とを部分的にのみ連通させて球送出案内路(29a,29b)内の貯留球が該球通入口(30a,30b)から球抜案内路(30)へ通出されるのを規制する一方、前記係合片(81)と前記第２係合部(50)との係合を解除して前記規制板部(76)を前記第２位置へ到来させることで、前記球通過口(79,80)と前記球通入口(30a,30b)とを全面的に連通させて球送出案内路(29a,29b)内の貯留球が球通入口(30a,30b)から球抜案内路(30)へ通出されるのを許容するよう構成されることを特徴とする。
【００１１】
【作用】
球送出路部に設けた第１収容設置部に装着した貯留球通出規制部材は、該球送出路部に形成した球送出案内路の球送出口に臨んで配設され、球送出路部に設けた第２収容設置部に装着した貯留球通出切換部材は、該球送出路部に形成した球抜案内路の球通入口に臨んで配設される。
貯留球通出規制部材は、その係合片を球送出路部に設けた第１係合部に係合させることで、第１収容設置部に挿通した規制板部が第１位置に到来する。これにより、規制板部に形成した球通過口と球送出案内路の球送出口とが全面的に連通するので、球送出案内路内の貯留球が前記球送出口から球払出装置へ通出するのが許容される。一方、指先で操作片を押圧操作して係合片を第１係合部から離脱させて規制板部を第２位置へ到来させると、球通過口と球送出口とが部分的にのみ連通するので、球送出案内路内の貯留球が該球送出口から球払出装置へ通出するのが規制される。
貯留球通出切換部材は、その係合片を球送出路部に設けた第２係合部に係合させることで、第２収容設置部に挿通した規制板部が第１位置に到来する。これにより、規制板部に形成した球通過口と球抜案内路の球通入口とが部分的にのみ連通するので、球送出案内路内の貯留球が前記球通入口から球抜案内路へ通出するのが規制される。一方、指先で操作片を押圧操作して係合片を第２係合部から離脱させて規制板部を第２位置へ到来させると、球通過口と球通入口とが全面的に連通するので、球送出案内路内の貯留球が該球通入口から球抜案内路へ通出するのが許容される。
これにより、前記貯留球通出切換部材を前記第１位置に保持すると共に前記貯留球通出規制部材を前記第１位置に保持することで、前記球貯留排出経路部内の貯留球を前記球送出案内路を介して前記球払出装置へ通出させ得る。また、少なくとも前記貯留球通出切換部材を前記第２位置に変位させることで、前記球貯留排出経路部内の貯留球を前記球抜案内路を介して前記球排出路へ通出させ得る。
なお貯留球通出規制部材および貯留球通出切換部材は、第１球送出路内に貯留された貸球用の貯留球および第２球送出路内に貯留された賞球用の貯留球を、ワンタッチ操作で同時に通出許容または通出規制することが可能である。
【００１２】
【発明の実施の形態】
次に、本発明に係るパチンコ遊技機における貯留球の通出・規制機構につき、好適な実施例を挙げ、添付図面を参照しながら以下詳細に説明する。なお本実施例では、貸球用のカードおよびカードユニットを利用して貯留球を貸出し得るカード式パチンコ機を例とし、後述する機構セット盤における球貯留排出経路部の下流側に、ユニット化された球払出装置が設置された形式を主に示す。
【００１３】
(パチンコ機)
そこで、先ず本実施例に係る貯留球の通出・規制機構が実施されるパチンコ機について、図１６および図１７を参照して要約説明する。本実施例のパチンコ機Ｐは、その基本的な概略構成として、外枠Ａの開口前面側に対して前枠Ｂが、連結支持手段および施錠手段を利用して着脱および開放可能に組付けられている。そして前枠Ｂの内外部分には、横開き式のガラス扉Ｄを組付けた窓枠Ｃと、ガラス扉Ｄの下部において前枠Ｂに対して着脱および開放可能に組付けられる開閉セット板の前側に上球皿Ｅが組付けられると共に、該開閉セット板の後側に電動式の球送り装置(図示せず)等がセットされている。また、前記前枠Ｂの下部に下球皿Ｆおよび打球発射装置Ｈ等が設置されると共に、裏側に機構セット盤Ｇ等が装備され、更に該前枠Ｂの後側に設けた保持枠１０の正面内部に、所要の遊技領域Ｊａを構成した遊技盤Ｊが着脱交換可能にセットされる。一方、貸球の払出し制御に必要とされる球貸しユニット(カバー式)Ｋが、パチンコ機Ｐの側方(外枠Ａの隣接部位)に設置されて各電子制御部と接続されている。
【００１４】
(機構セット盤)
前記機構セット盤Ｇは、前枠Ｂ裏側に位置する前記遊技盤Ｊセット用の保持枠１０の裏側に着脱可能に装備され、該保持枠１０に対応し得る方形サイズに樹脂成形された本体１１の中央部に遊技盤裏面の点検用の窓口１２が開口され、これに裏カバー部材１３が開閉および着脱可能に取着されており、この窓口１２の上部から右側部に亘る外周囲部に球貯留排出経路部１４等が配設されている。また、この球貯留排出経路部１４の下側に、カセット形態とされる電動制御式の球払出装置Ｌ1,Ｌ2が設置される一方、これら球払出装置Ｌ1,Ｌ2の下方に該装置Ｌ1,Ｌ2から払出された貸球および賞球を前記上球皿Ｅまたは下球皿Ｆへ排出する賞球払出路Ｑが形成されており、前記球貯留排出経路部１４に貯留された所定数のパチンコ球(貯留球)が、球払出装置Ｌ1,Ｌ2の作動により貸球または賞球として払出されるようになっている。一方、機構セット盤Ｇの右端には、前記球払出装置Ｌ1,Ｌ2の右側方に上端開口すると共に機外へ下端開口した球排出路Ｒが垂下形成されており、後述するように球抜きに際して球貯留排出経路部１４内の貯留球を機外へ通出案内するようになっている。
【００１５】
なお、機構セット盤Ｇのその他の構成として、前記窓口１２の下方に、アウト球およびセーフ球を機外へ排出する球通出経路が形成される他に、球抜き装置,セーフ球検出処理装置,賞球満杯検出装置および貸球用の検出スイッチ(何れも図示せず)等が夫々設置され、そして本体１１の上方隅端部にターミナル基盤(集中基盤ともいう)１５が設置されている。また前記窓口１２の下方背面には、パチンコ機Ｐを全体的に制御するメイン基板を収容した主制御装置１６や、前記打球発射装置Ｈを制御する発射制御基板を収容した発射制御装置１７、前記球払出装置Ｌ1,Ｌ2を制御する払出制御基板を収容した払出制御装置１８、前記遊技盤Ｊでのパチンコゲームに応じた効果音を発生制御する音制御基板を収容した音制御装置１９、球貸しユニットＫと接続して各種データの入力および出力を行なうためのコネクタを備えたインターフェース２０等が所要位置に設置固定される一方、前記裏カバー部材１３の背面に電源基板２１が設置固定されている。
【００１６】
(球貯留排出経路部)
前記球貯留排出経路部１４は、機構セット盤Ｇの上部に上方開口状態で設置される球容器(「球タンク」ともいう)２２と、この球容器２２底面の下流端に開口された球出口に合わせた下部に取着される斜状レール形の整流路部２３と、左右蛇行状に形成されて前記整流路部２３の下流端に連絡するように取着される球送出路部２４とから構成され、相当量(例えば５００個程度)のパチンコ球を貯留球として一時的に貯留し得るようになっている。そして実施例のパチンコ機Ｐでは、図１および図２等に示す如く、前記球貯留排出経路部１４における球送出路部２４の下端と、上球皿Ｅおよび下球皿Ｆに連通する賞球払出路Ｑの上部に配設された前記各球払出装置Ｌ1,Ｌ2および前記球排出路Ｒとの間に設けた設置部２６に、貯留球通出規制部材６０および貯留球通出切換部材７５を球送出路部２８に装着して貯留球の通出・規制機構を構成する貯留球通出ユニットＭが、後付装着形態で着脱可能に配設されている。
【００１７】
なお実施例の整流路部２３は、図２または図３に示すように、幅方向中央部で上方へ突出しかつ長手方向へ延在する仕切板２５により、貯留球を２列整列状態で球送出路部２４へ送出案内する第１整流路２３ａおよび第２整流路２３ｂとを並設した「４条タイプ」が例とされ、例えば第１整流路２３ａを貸球用、第２整流路２３ｂを賞球用として実施に供される。また前記球送出路部２４は、貯留球を１列整列状態で通出案内する「２条タイプ」として、第１球送出路２４ａおよび第２球送出路２４ｂがパチンコ機Ｐの前後方向へ並列的に画成され、この第１球送出路２４ａが前記第１整流路２３ａに整合連通すると共に第２球送出路２４ｂが前記第２整流路２３ｂに整合連通している。すなわち、第１整流路２３ａおよび第２整流路２３ｂを夫々流下した貯留球は、その出口部で２列から１列に整列されながら対応の第１球送出路２４ａおよび第２球送出路２４ｂ内へ流入するようになる。
【００１８】
(球払出装置)
本実施例のパチンコ機Ｐでは、貸球の払出し専用に実施される第１球払出装置Ｌ1と、賞球の払出し専用に実施される第２球払出装置Ｌ2とを有し、機構セット盤Ｇに設けた設置部２７に対して、前後に整合セットした第１球払出装置Ｌ1および第２球払出装置Ｌ2をビス着することで、両球払出装置Ｌ1,Ｌ2を前後２段に装着するようになっている(図９)。なお、第１球払出装置Ｌ1および第２球払出装置Ｌ2は、図１４および図１５に示すように、ケース体８６の内部に球払出し機構部８８を内蔵した同一タイプとされ、貯留球が通過する球通路８７が該ケース体８６内に垂直に形成されている。
【００１９】
(貯留球の通出・規制機構)
次に、本実施例に係る貯留球の通出・規制機構につき説明する。実施例の貯留球の通出・規制機構は、図１〜図３等に示すと共に前述したように、前記球貯留排出経路部１４における球送出路部２４の下端と、前記各球払出装置Ｌ1,Ｌ2および前記球排出路Ｒとの間に設けた設置部２６に、組付固定ビス５３を利用して取外し可能に組付けられる貯留球通出ユニットＭから構成されている。すなわちこの貯留球通出ユニットＭは、図４〜図６に示すように、前記球送出路部２４における第１球送出路２４ａおよび第２球送出路２４ｂと前記各球払出装置Ｌ1,Ｌ2の各球通路８７,８７とを連通接続する第１球送出案内路２９ａおよび第２球送出案内路２９ｂ、および夫々の球送出案内路２９ａ,２９ｂの途中から分岐して前記球排出路Ｒに連通接続する球抜案内路３０を内部に画成して球送出路部とされる球送出路部材２８と、この球送出路部材２８における夫々の球送出案内路２９ａ,２９ｂの出口部位臨んで配設された貯留球通出規制部材６０と、該球送出路部材２８における夫々の球送出案内路２９ａ,２９ｂと前記球抜案内路３０との分岐部位に臨んで配設された貯留球通出切換部材７５とから構成され、全体が単一のユニット部材として取扱い得るようになっている。なお第１球送出案内路２９ａは、前記第１球送出路２４ａと前記第１球払出装置Ｌ1とを連通接続し、第２球送出案内路２９ｂは、前記第２球送出路２４ｂと前記第２球払出装置Ｌ2とを連通接続するようになっている。
【００２０】
(球送出路部)
貯留球の通出・規制機構における球送出路部を形成する前記球送出路部材２８は、図５および図６に示すように、前後方向へ互いに組付け可能に合成樹脂成形された第１基体３１および第２基体３２から構成されている。このうち前記第１基体３１は、機構セット盤Ｇに設けた前記設置部２６に接触する矩形状の台座部３３と、この台座部３３に蛇行状に形成されて前記第１球送出案内路２９ａの一部を画成する第１壁部３４と、この第１壁部３４に段差を以て一体形成されて両球送出案内路２９ａ,２９ｂの間に延在するようになる仕切壁部３５とが一体的に成形されている。そして、第１球送出案内路２９ａの球送出口２９ｃに隣接する部位には、前記貯留球通出規制部材６０の挿通および摺動変位を許容する横長矩形状の第１挿通口３６が開口形成されると共に、該第１球送出案内路２９ａと球抜案内路３０との分岐部に対応する部位には、前記貯留球通出切換部材７５の挿通および摺動変位を許容する略Ｊ字形状の第２挿通口３７が開口形成されている。また、前記第１挿通口３６の右上端縁部には、前記貯留球通出規制部材６０に係合して該通出規制部材６０の抜止めを図る第１フック片(第１係合片)３８が立設形成されていると共に、前記第２挿通口３７の右上端縁部には、前記貯留球通出切換部材７５に係合して該切換部材７５の抜止めを図る第２フック片(第２係合片)３９が立設形成されている。なお台座部３３の略中央には、第２基体３２との組付用のビス５４が螺着されるボス４０が立設形成されていると共に、左端中央部や下端中央部および右上隅角部等には、当該第１基体３１を機構セット盤Ｇに組付けるための組付固定ビス５３(図３)の挿通を許容する挿通口４１が開設されている。
【００２１】
前記第２基体３２は、図５および図６に示す如く、前記第１基体３１の台座部３３に端部密着して整合する矩形箱状の外郭壁部４２に、外側へ蛇行状に突出形成されて前記第２球送出案内路２９ｂを画成する第２壁部４３と、同じく外側へ突出形成されて前記球抜案内路３０を画成する第３壁部４４が一体的に成形されている。また前記外郭壁部４２の内側には、前記第１球送出案内路２９ａを画成する第４壁部４５および前記球抜案内路３０を画成する第５壁部４６が形成されている。そして第２球送出案内路２９ｂの球送出口２９ｄに対応する部位には、前記貯留球通出規制部材６０の挿通および摺動変位を許容する横長矩形状の第１挿通口４７が開口形成されると共に、該第２球送出案内路２９ｂと球抜案内路３０との分岐部位には、前記貯留球通出切換部材７５の挿通および摺動変位を許容する略Ｊ字形状の第２挿通口４８が開口形成されている。そして、前記第１挿通口４７に隣接した正面右側に、貯留球通出規制部材６０の係合フック片(係合片)６９の挿通および係合を許容する第１開口部(第１係合部)４９が開設されると共に、前記第２挿通口４８に隣接した上側に、貯留球通出切換部材７５の係合フック片８１の挿通および係合を許容する第２開口部(第２係合部)５０が開設されている。なお、外郭壁部４２の略中央には、第１基体３１に立設した前記ボス４０に整合する挿通口５１が開設されていると共に、左端中央部や下端中央部および右上隅角部等には、前記組付固定ビス５３(図３)の挿通を許容する挿通口５２が開設されている。
【００２２】
前記第１基体３１および第２基体３２から構成される球送出路部材２８は、これら第１基体３１および第２基体３２を前記ビス５４で組付けることにより、前記第１壁部３４と第４壁部４５等により前記第１球送出案内路２９ａが画成されると共に前記第２壁部４３で前記第２球送出案内路２９ｂが画成され、また第３壁部４４および第５壁部４６で前記球抜案内路３０が画成される。そして、前記第１球送出案内路２９ａおよび第２球送出案内路２９ｂの間に前記仕切壁部３５が延在するようになり、第１球送出案内路２９ａと第２球送出案内路２９ｂとは、パチンコ機Ｐの前後方向へ所要間隔を以て並行的に延在している。また、第１基体３１および第２基体３２に形成した前記各第１挿通口３６,４７の間には、前記貯留球通出規制部材６０を摺動自在に案内するガイド溝５５が、前記第１球送出案内路２９ａおよび第２球送出案内路２９ｂと交差する方向に延在形成されており、これら第１挿通口３６,４７およびガイド溝５５により第１収容設置部５６が形成されている(図９)。一方、前記各第２挿通口３７,４８の間には、前記貯留球通出切換部材７５を摺動自在に案内するガイド溝５７が、前記第１球送出案内路２９ａおよび第２球送出案内路２９ｂと交差する方向に延在形成されており、これら第２挿通口３７,４８およびガイド溝５７により第２収容設置部５８が形成されている(図５)。
【００２３】
(貯留球通出規制部材)
貯留球の通出・規制機構を構成する前記貯留球通出規制部材６０は、常には第１位置(貯留球の通出許容位置)にあって前記第１および第２の球送出案内路２９ａ,２９ｂの夫々の球送出口２９ｃ,２９ｄを開放(全面的に開放)して、該球送出案内路２９ａ,２９ｂ内に貯留された貯留球が該球送出口２９ｃ,２９ｄから通出するのを許容する一方、前記第１位置から第２位置(貯留球の通出規制位置)へ変位させることで前記球送出口２９ｃ,２９ｄを閉成(または部分的にのみ開放)して、前記球送出案内路２９ａ,２９ｂ内に貯留された貯留球が該球送出口２９ｃ,２９ｄから通出するのを規制するスライドシャッター形態とされている。すなわち貯留球通出規制部材６０は、図７〜図９に示す如く、第１球送出案内路２９ａおよび第２球送出案内路２９ｂに交差し、かつ夫々の球送出口２９ｃ,２９ｄに臨んで形成された前記第１収容設置部５６に装着され、第１球送出案内路２９ａ内の貸球および第２球送出案内路２９ｂ内の賞球に対する通出許容および通出規制を同時に図るものである。
【００２４】
前述のような機能を具有するべく貯留球通出規制部材６０は、一方端部に把持片６２を一体的に設けて前記第１収容設置部５６に挿通される細長シャッター状を呈する規制板部６１と、この把持片６２の側面に一体的に形成されて前記規制板部６１の側方に沿設される姿勢保持部６３とから構成され、全体が合成樹脂製の一体成形品である。前記規制板部６１には、貯留球(貸球)の通過を許容するように矩形状に形成されて前記第１球送出案内路２９ａに整合可能な第１球通過口６４と、同じく貯留球(賞球)の通過を許容するように矩形状に形成されて前記第２球送出案内路２９ｂに整合可能な第２球通過口６５とが、前記第１球送出案内路２９ａと第２球送出案内路２９ｂとの配設間隔と同一間隔で形成されている。また、各球通過口６４,６５の側方(前記把持片６２側と対向する方向)には、傾斜面に形成された球規制片部６６,６７が夫々の球通過口６４,６５に隣設され、後述する如く、夫々の球送出口２９ｃ,２９ｄを貯留球の直径よりも幅狭に開口させて該貯留球の通過を規制するようになっている。
【００２５】
(姿勢保持部)
前記姿勢保持部６３は、前記把持片６２から立設した支持片６８を中心に揺動可能なレバー状を呈しており、該支持片６８から前方へ延出して前記第１開口部４９に係脱可能に係合する係合フック片６９と、該支持片６８から後方へ突出して前記把持片６２の側方へ臨む操作片７０とから構成されている。この姿勢保持部６３は、図７に示す如く、常には前記規制板部６１と略平行に延在しており、指先操作により前記操作片７０を前記把持片６２側へ押圧操作すると、前記支持片６８を中心として前記係合フック片６９が反対側(規制板部６１から離間する方向)へ弾性的に変位し、前記規制板部６１に対して適宜傾斜するようになっている。そして、前記第１収容設置部５６に設置された前記貯留球通出規制部材６０は、前記姿勢保持部６３の係合フック片６９を前記第１開口部４９に係合させると、前記規制板部６１が球送出路部材２８へ完全に挿入された第１位置に位置決めされ、該係合フック片６９と該第１開口部４９との係合を解除させて引出すと、該規制板部６１が球送出路部材２８から適宜露出して第２位置に位置決めされ得るようになっている。
【００２６】
(貯留球通出規制部材の第１位置)
そして、前記貯留球通出規制部材６０の規制板部６１が前記第１位置に到来した際には(図７(ｃ),図８(ｂ)および図９(ａ))、前記第１球通過口６４が第１球送出案内路２９ａの球送出口２９ｃに全面的に整合連通すると共に、前記第２球通過口６５が第２球送出案内路２９ｂの球送出口２９ｄに全面的に整合連通するように設定されている。すなわち、貯留球通出規制部材６０を第１位置に到来させると、第１球送出案内路２９ａ内に貯留されている貸球としての貯留球および第２球送出案内路２９ｂ内に貯留されている賞球としての貯留球の夫々の通出を許容する貯留球通出許容状態とされ、前記第１球払出装置Ｌ1および第２球払出装置Ｌ2に対して、第１球送出案内路２９ａおよび第２球送出案内路２９ｂ内の夫々の貯留球が通出可能とされる。
【００２７】
(貯留球通出規制部材の第２位置)
一方、前記貯留球通出規制部材６０の規制板部６１が前記第２位置に到来した際には(図７(ａ),図８(ａ)および図９(ｂ))、前記第１球通過口６４が第１球送出案内路２９ａの球送出口２９ｃから変移して該球送出口２９ｃに前記球規制片部６６が到来し、これら第１球通過口６４と球送出口２９ｃが部分的(貯留球の直径よりも幅狭)にのみ連通する一方、前記第２球通過口６５が第２球送出案内路２９ｂの球送出口２９ｄから変移して該球送出口２９ｄに前記球規制片部６７が到来し、これら第２球通過口６５と球送出口２９ｄが部分的(貯留球の直径よりも幅狭)にのみ連通するように設定されている。すなわち、貯留球通出規制部材６０を第２位置に到来させると、第１球送出案内路２９ａ内に貯留されている貸球としての貯留球および第２球送出案内路２９ｂ内に貯留されている賞球としての貯留球の夫々の通出を規制する貯留球通出規制状態とされ、前記第１球払出装置Ｌ1および第２球払出装置Ｌ2に対して、第１球送出案内路２９ａおよび第２球送出案内路２９ｂ内の夫々の貯留球が通出不能とされる。
【００２８】
(脱落防止構造)
また、前記規制板部６１の側端に切欠部７１が形成され、これにより該規制板部６１の側端奥側に係合片(係合部)７２が形成されている。この切欠部７１には、前記第１収容設置部５６に当該の貯留球通出規制部材６０を装着した際に、前記第１基体３１に立設形成した前記第１フック片３８の鈎部が臨むように設定されている。しかも、前記貯留球通出規制部材６０が前記第２位置に到来した際には、前記第１フック片３８の鈎部と前記係合片７２の端部とが係合するようになっており(図７(ａ)および図８(ａ))、これにより該貯留球通出規制部材６０の脱落防止が図られる。すなわち前記貯留球通出規制部材６０は、第１位置(通出許容位置)に到来している場合では、前記姿勢保持部６３の係合フック片６９が第１開口部４９に係合して球送出路部材２８からの脱落防止が図られ、また第２位置(通出規制位置)に到来している場合では、前記第１フック片３８が係合片７２に係合して球送出路部材２８からの脱落防止が図られるようになっている。
【００２９】
なお、前記貯留球通出規制部材６０が第２位置にある場合には、前述した如く、第１フック片３８と係合片７２との係合により脱落防止が図られる一方、前記係合フック片６９の先端が前記第１開口部４９側方の壁面に当接するようになっている(図７(ａ)および図８(ａ))。従って、第２位置に到来している貯留球通出規制部材６０は、第１位置側へのスライド変位が規制され、この第２位置で好適に姿勢保持される。これにより実施例の貯留球通出規制部材６０は、第１位置および第２位置の何れの位置でも姿勢保持されるので、当該パチンコ機Ｐの振動等により貯留球通出許容状態から貯留球通出規制状態への不意の変位や、貯留球通出規制状態から貯留球通出許容状態への不意の変位が好適に防止される。
【００３０】
(貯留球通出切換部材)
貯留球の通出・規制機構を構成する前記貯留球通出切換部材７５は、常には第１位置(貯留球の通出規制位置)にあって第１球送出案内路２９ａおよび第２球送出案内路２９ｂに開口形成した前記球抜案内路３０への球通入口(第１球通入口３０ａおよび第２球通入口３０ｂ)を閉成(または部分的にのみ開放)して、第１球送出案内路２９ａおよび第２球送出案内路２９ｂ内に貯留された貯留球が該球抜案内路３０へ通出するのを規制する一方、前記第１位置から第２位置(貯留球の通出許容位置)へ到来させることで前記第１球通入口２９ａおよび第２球通入口２９ｂを夫々開放(全面的に開放)して、第１球送出案内路２９ａおよび第２球送出案内路２９ｂ内に貯留された貯留球が該球抜案内路３０へ通出するのを許容するスライドシャッター形態とされている。すなわち貯留球通出切換部材７５は、図１０(ｂ)等に示すように、第１球送出案内路２９ａおよび第２球送出案内路２９ｂの側部に交差し、かつ夫々の球通入口３０ａ,３０ｂに臨んで形成された前記第２収容設置部５８に装着され、第１球送出案内路２９ａ内の貸球および第２球送出案内路２９ｂ内の賞球に対する球抜案内路３０側への通出規制および通出許容を行なって通出方向の切換えを同時に図るものである。
【００３１】
前述のような機能を具有するべく貯留球通出切換部材７５は、形状は異なるものの前記貯留球通出規制部材６０と基本的構成が同一であって、一方端部に把持片７８を一体的に設けて前記第２収容設置部５８に挿通される細長シャッター状を呈する規制板部７６と、この把持片７８の上面に一体的に形成されて前記規制板部７６の上方に沿設される姿勢保持部７７とから構成され、全体が合成樹脂製の一体成形品である。前記規制板部７６には、貯留球(貸球)の通過を許容するように矩形状に形成されて前記第１球送出案内路２９ａに整合可能な第１球通過口７９と、同じく貯留球(賞球)の通過を許容するように矩形状に形成されて前記第２球送出案内路２９ｂに整合可能な第２球通過口８０とが、前記第１球送出案内路２９ａおよび第２球送出案内路２９ｂとの配設間隔と同一間隔で形成されている。
【００３２】
(姿勢保持部)
前記姿勢保持部７７は、前記把持片７８から立設した支持片８５を中心に揺動可能なレバー状を呈しており、該支持片８５から前方へ延出して前記第２開口部５０に係脱可能に係合する係合フック片８１と、該支持片８５から後方へ突出して前記把持片８２の上方へ臨む操作片８２から構成されている。この姿勢保持部７７は、常には前記規制板部７６と略平行な水平に延在しており(図１０(ｂ))、指先操作により前記操作片８２を前記把持片７８側へ押圧操作すると、前記支持片８５を中心として前記係合フック片８１が反対側(規制板部７６から離間する方向)へ弾性的に変位し、前記規制板部７６に対して適宜傾斜するようになっている(図１１)。そして、前記第２収容設置部５８に設置された前記貯留球通出切換部材７５は、前記姿勢保持部７７の係合フック片８１を前記第２開口部５０に係合させると、前記規制板部７６が球送出路部材２８へ完全に挿入された第１位置に位置決めされ、該係合フック片８１と該第２開口部５０との係合を解除させて引出すと、該規制板部７６が球送出路部材２８から適宜露出して第２位置に位置決めされ得るようになっている。
【００３３】
(貯留球通出切換部材の第１位置)
そして、前記貯留球通出規制部材７５の規制板部７６が前記第１位置に到来した際には(図１０(ａ)および図１０(ｂ))、前記第１球通過口７９が前記第１球通入口３０ａに部分的(貯留球の直径よりも幅狭)にのみ連通すると共に、前記第２球通過口８０が前記第２球通入口３０ｂに部分的(貯留球の直径よりも幅狭)にのみ連通するように設定されている。すなわち、貯留球通出切換部材７５を第１位置に到来させると、第１球送出案内路２９ａ内に貯留されている貸球としての貯留球および第２球送出案内路２９ｂ内に貯留されている賞球としての貯留球の球抜きを規制する状態とされ、第１球送出案内路２９ａおよび第２球送出案内路２９ｂ内の夫々の貯留球は、球抜案内路３０へは通出されずに前記第１球払出装置Ｌ1および第２球払出装置Ｌ2側へ通出案内されるようになる(図１４(ａ),(ｂ))。
【００３４】
(貯留球通出切換部材の第２位置)
一方、前記貯留球通出切換部材７５の規制板部７６が前記第２位置に到来した際には(図１２(ａ)および図１２(ｂ))、前記第１球通過口７９が前記第１球通入口３０ａに全面的に整合すると共に、前記第２球通過口８０が前記第２球通入口３０ｂに全面的に整合するように設定されている。すなわち、貯留球通出切換部材７５を第２位置に到来させると、第１球送出案内路２９ａ内に貯留されている貸球としての貯留球および第２球送出案内路２９ｂ内に貯留されている賞球としての貯留球の球抜きを許容する状態とされ、第１球送出案内路２９ａおよび第２球送出案内路２９ｂ内の夫々の貯留球は、夫々の球通過口７９,８０を介して球抜案内路３０側へ流出した後、球排出路Ｒから機外へ排出され得る(図１３および図１５)。
【００３５】
(脱落防止構造)
また、前記規制板部７６における水平面７６ａの側端に切欠部８３が形成され、これにより該規制板部６１の側端奥側に係合片(係合部)８４が形成されている。この切欠部８３には、前記第２収容設置部５８に当該の貯留球通出切換部材７５を装着した際に、前記第１基体３１に立設形成した前記第２フック片３９の鈎部が臨むように設定されている(図１０)。しかも、前記貯留球通出切換部材７５が前記第２位置に到来した際には、前記第２フック片３９の鈎部と前記係合片８４の端部とが係合するようになっており(図１２)、これにより該貯留球通出切換部材７５の脱落防止が図られる。すなわち前記貯留球通出切換部材７５は、第１位置に到来している場合では、前記姿勢保持部７７の係合フック片８１が第２開口部５０に係合して球送出路部材２８からの脱落防止が図られ、また第２位置に到来している場合では、前記第２フック片３９が係合片８４に係合して球送出路部材２８からの脱落防止が図られるようになっている。
【００３６】
なお、前記貯留球通出切換部材７５が第２位置にある場合には、前述した如く、第２フック片３９と係合片８４との係合により脱落防止が図られる一方、前記係合フック片８１の先端が前記第２開口部５０下方の壁面に当接するようになっている(図１２)。従って、第２位置に到来している貯留球通出切換部材７５は、第１位置側へのスライド変位が規制され、この第２位置で好適に姿勢保持される。これにより実施例の貯留球通出切換部材７５は、第１位置および第２位置の何れの位置でも姿勢保持されるので、当該パチンコ機Ｐの振動等により貯留球通出規制状態から貯留球通出許容状態への不意の変位や、貯留球通出許容状態から貯留球通出規制状態への不意の変位が好適に防止される。
【００３７】
【実施例の作用】
次に、前述のように構成された本実施例に係るパチンコ遊技機における貯留球の通出・規制機構の作用につき説明する。
【００３８】
(貯留球通出ユニットの組立)
前記第１基体３１と第２基体３２とを前記ビス５４を締付けて球送出路部材２８を組立てた後、前記貯留球通出規制部材６０を前記第１挿通口４７を介して前記第１収容設置部５６内に収容セットすると共に、前記貯留球通出切換部材７５を前記第２挿通口４８を介して前記第２収容設置部５８内に収容セットすることで、前記球送出路部材２８を主体とした貯留球通出ユニットＭが構成される。なお貯留球通出規制部材６０は、前記把持片６２および操作片７０を指先で強めに摘みながら前記規制板部６１を第１収容設置部５６へ挿入すれば、前記姿勢保持部６３の係合フック片６９が第１開口部４９から球送出路部材２８内へ進入し(図７(ｂ))、第１位置(貯留球の通出許容位置)に姿勢保持される。また貯留球通出切換部材７５は、前記把持片７８および操作片８２を指先で強めに摘みながら前記規制板部７６を第２収容設置部５８へ挿入すれば、前記姿勢保持部７７の係合フック片８１が第２開口部５０から球送出路部材２８内へ進入し、第１位置(貯留球の通出規制位置)に姿勢保持される。
【００３９】
このように、貯留球通出案内部材６０および貯留球通出切換部材７５を球送出路部材２８に装着した貯留球通出ユニットＭは、組付固定ビス５３を利用して機構セット盤Ｇの前記設置部２６へ組付けることにより、第１球送出案内路２９ａおよび第２球送出案内路２９ｂが前記球送出路部２４の第１球送出路２４ａおよび第２球送出路２４ｂに夫々整合連通し、該第１球送出案内路２９ａの球送出口２９ｃは前記第１球払出装置Ｌ1の球通路８７に整合する一方、第２球送出案内路２９ｂの球送出口２９ｄは前記第２球払出装置Ｌ2の球通路８７に整合連通する。また、前記球抜案内路３０の出口部は、前記球排出路Ｒに整合連通する(図１および図２)。これにより、球貯留排出経路部１４と各球払出装置Ｌ1,Ｌ2および球排出路Ｒとの間に、貯留球の通出・規制機構が設けられる。
【００４０】
(パチンコ球の供給)
前記パチンコ機Ｐを、遊技ホール内の設置枠台(通称「島」)に縦向きの姿勢で設置した後、機外の球補給設備から球貯留排出経路部１４における前記球容器２２内へパチンコ球が供給される。これによりパチンコ球は、球容器２２から整流路部２３の第１整流路２３ａまたは第２整流路２３ｂへ流入し、第１整流路２３ａに内へ流入したパチンコ球は、球送出路部２４における第１球送出路２４ａから貯留球通出ユニットＭの第１球送出案内路２９ａ内へ流入し、第２整流路２３ｂに内へ流入したパチンコ球は、球送出路部２４における第２球送出路２４ｂから貯留球通出ユニットＭの第２球送出案内路２９ｂ内へ流入する。このとき、前記貯留球通出規制部材６０および貯留球通出切換部材７５を第１位置に夫々姿勢保持しているので、第１球送出案内路２９ａ内へ通入したパチンコ球は第１球払出装置Ｌ1へ到来して貸球用の貯留球として順次貯留され、第２球送出案内路２９ｂ内へ通入したパチンコ球は第２払出装置Ｌ2へ到来して賞球用の貯留球として順次貯留される。
【００４１】
そして貯留球が正常に貯留された状態において、当該パチンコ機Ｐでのパチンコ遊技に先立ち、遊技者が前記貸球用のカードおよびカードユニットＫを利用して適正な球貸し操作をした場合には、この操作に応答して前記第１球払出装置Ｌ1が作動制御されることにより、第１球送出路２４ａおよび第１球送出案内路２９ａ内の所定数の貯留球が貸球として前記上球皿Ｅ側へ給出される。このとき第１球送出案内路２９ａ内の貯留球は、前記貯留球通出規制部材６０の第１球通過口６４を通過した後、球送出口２９ｃから第１球払出装置Ｌ1の球通路８７へ順次通出される。
【００４２】
前記貸球を遊技球として前記遊技盤Ｊ内でパチンコゲームが展開されている途中で入賞球が発生した場合には、これに応答して前記第２球払出装置Ｌ2が作動制御されることにより、第２球送出路２４ｂおよび第２球送出案内路２９ｂ内の所定数の貯留球が賞球として前記上球皿Ｅ側へ給出される(図１４(ａ))。このとき第２球送出案内路２９ｂ内の貯留球は、前記貯留球通出規制部材６０の第２球通過口６５を通過した後、第２球送出口２９ｄから第２球払出装置Ｌ2の球通路８７へ順次通出される。
【００４３】
(貯留球の通出規制)
そして、当該パチンコ機Ｐが実施に供されている期間中において、例えば前記第１球払出装置Ｌ1または第２球払出装置Ｌ2の取外し点検や新品交換等の必要が発生した際には、第１位置に姿勢保持してある前記貯留球通出規制部材６０を第２位置へ姿勢変位させる。すなわち、前記把持片６２および操作片７０を指先で押圧操作して姿勢保持部６３の係合フック片６９と前記第１開口部４９との係合を解除したもとで(図７(ｂ))、貯留球通出規制部材６０を手前側へ引出すことにより、該貯留球通出規制部材６０は摺動移動して第２位置へ変位し、前記夫々の球規制片部６６,６７が対応の第１球送出案内路２９ａおよび第２球送出案内路２９ｂへ臨むようになる(図７(ａ)および図９(ｂ))。これにより夫々の球送出口２９ｃおよび球送出口２９ｄは、パチンコ球の直径よりも幅狭で部分的にのみ連通するため貯留球の通出が規制される。これにより、図９(ｂ)および図１４(ｂ)に示す如く、前記第２球払出装置Ｌ2を取外しても、第２球送出案内路２９ｂ内に一時的に貯留された賞球用の貯留球の通出落下が好適に規制される。またこれと同様に、前記第１球払出装置Ｌ1を取外しても、第１球送出案内路２９ａ内に一時的に貯留された貸球用の貯留球の通出落下が好適に規制される。なお、この時、第１フック片３８に係合片７２が係合するので、貯留球通出規制部材６０が球送出路部材２８から脱落することもない。
【００４４】
(貯留球の球抜き)
一方、球貯留排出経路部１４内に貯留されている貯留球の全てを機外へ排出する必要が生じた場合には、第１位置に姿勢保持してある前記貯留球通出切換部材７５を第２位置へ姿勢変位させる。すなわち、前記把持片７８および操作片８２を指先で押圧操作して姿勢保持部７７の係合フック片８１と前記第２開口部５０との係合を解除したもとで(図１１(ａ),(ｂ))、貯留球通出切換部材７５を手前側へ引出すことにより、該貯留球通出切換部材７５は摺動移動して第２位置へ変位する。(図１２(ａ),(ｂ))。これにより、第１球通過口７９および第２球通過口８０は第１球通入口３０ａおよび第２球通入口３０ｂと夫々全面的に連通するようになり、第１球送出案内路２９ａおよび第２球送出案内路２９ｂ内の夫々の貯留球は、前記各球通過口７９,８０を介して球抜案内路３０側へ順次通出され、前記球排出路Ｒを介して機外へ排出される(図３)。すなわち実施例のパチンコ機Ｐでは、第１球払出装置Ｌ1および第２球払出装置Ｌ2へ到来する前の貯留球を機外へ排出することが可能となっており、これら第１および第２の各球払出装置Ｌ1,Ｌ2を作動させることなく球抜き作業を行ない得る。但し、貯留球の球抜きに際して前記貯留球通出規制部材６０は第２位置へ変位させなくてもよく、該貯留球通出規制部材６０を第１位置に保持したもとで前記貯留球通出切換部材７５を第２位置へ変位させるだけで球抜きは可能である。
【００４５】
このように実施例の貯留球通出・規制機構では、貸球用の貯留球を通出案内する第１球送出案内路２９ａおよび賞球用の貯留球を通出案内する第２球送出案内路２９ｂの夫々の球送出口２９ｃ,２９ｄに臨む位置に、両球送出案内路２９ａ,２９ｂ内の貯留球の通出許容および通出規制を行なう貯留球通出規制部材６０を配設したので、該貯留球通出規制部材６０を第２位置(遊技球通出規制状態)に到来させれば、前記第１球払出装置Ｌ1または第２球払出装置Ｌ2を取外しても第１球送出案内路２９ａおよび第２球送出案内路２９ｂ内の貯留球が通出落下することがない。
【００４６】
しかも貯留球通出規制部材６０は、第１球送出案内路２９ａ内および第２球送出案内路２９ｂ内の両方の貯留球に対する通出規制をワンタッチ操作でかつ同時に行なうことができ、貯留球の通出規制および規制解除に係る操作が簡単かつ迅速に行ない得る。これにより、前記球貯留排出経路部１４の点検や修理、前記第１球払出装置Ｌ1および第２球払出装置Ｌ2の取外し点検や新品交換に、煩わしい作業が伴わない。
【００４７】
更に実施例の貯留球通出・規制機構では、貸球用の貯留球を通出案内する第１球送出案内路２９ａおよび賞球用の貯留球を通出案内する第２球送出案内路２９ｂと球抜案内路３０との分岐部位に、両球送出案内路２９ａ,２９ｂ内の貯留球の通出規制および通出許容を行なう貯留球通出切換部材７５を配設したので、該貯留球通出切換部材７５を第２位置(貯留球通出許容状態)に到来させれば、第１球送出案内路２９ａおよび第２球送出案内路２９ｂ内の貯留球を球抜案内路３０の側へ通出させて球排出路Ｒを介して機外へ排出することができる。
【００４８】
しかも貯留球通出切換部材７５は、第１球送出案内路２９ａ内および第２球送出案内路２９ｂ内の両方の貯留球に対する通出規制をワンタッチ操作でかつ同時に行なうことができ、貯留球の通出規制および規制解除に係る操作が簡単かつ迅速に行ない得る。更に、球抜き操作に際して電磁ソレノイドや複数の部材からなる球流路切換装置等を使用しないため、部品点数の削減および組立工数の減少に伴って製造コストの低廉に寄与し得る。しかも、パチンコ機Ｐの前面側からの球抜き操作が不可能であるから、針金状材等を使用した不正な球抜きによる賞球の獲得を完全に防止し得る。
【００４９】
そして実施例の貯留球の通出・規制機構では、貯留球の通出規制を行なう貯留球通出規制部材６０と貯留球の球抜きを行なう貯留球通出切換部材７５とを、機構セット盤Ｇにおける球貯留排出経路部１４と各球払出装置Ｌ1,Ｌ2および球排出路Ｒの間に設けた球送出路部材２８に配設したので、設置スペースの減少化が図られて該機構セット盤Ｇの設置スペースの有効利用が可能となる。また、貯留球の通出・規制機構をなす貯留球通出ユニットＭは、パチンコ機Ｐのメイン組立ラインとは別の工程において予め組立てておき、該パチンコ機Ｐの機構セット盤Ｇに対しては数本の組付固定ビス５３を利用して簡単かつ容易に組付けることができる。
【００５０】
なお実施例では、貯留球の通出・規制機構における球送出路部を構成する前記球送出路部材２８を、球貯留排出経路部１４における球送出路部２４と別体に形成して、機構セット盤Ｇに設けた前記設置部２６に取外し可能に組付ける形態のものを例示したが、この球送出路部材２８は前記球送出路部２４と一体的に設けてもよい。
【００５１】
また実施例では、貸球用および賞球用の２列の球送出案内路２９ａ,２９ｂを有するパチンコ機Ｐを前提として説明したが、貸球用および賞球用を１列の球送出路で兼用するパチンコ機の場合には、前記貯留球通出規制部材６０および貯留球通出切換部材７５の各規制板部６１,７６に夫々１つの球通過口を開設して、１列の球送出路における貯留球の通出規制および通出許容を行なうようにすればよい。
【００５２】
【発明の効果】
以上説明した如く、本発明に係るパチンコ遊技機における貯留球の通出・規制機構によれば、貯留球の通出規制を行なう貯留球通出規制部材と貯留球の球抜きを行なう貯留球通出切換部材とを、球貯留排出経路部と各球払出装置および球排出路の間に設けた球送出路部に配設したので、設置スペースの減少化が図られて設置スペースの有効利用が可能となる利点がある。
そして貯留球通出規制部材は、球送出路部に設けた球送出案内路の球送出口に臨む第１収容設置部に装着され、簡単な指先操作で第１位置(通出許容状態)から第２位置(通出規制状態)へ移動させるだけで球送出案内路内の貯留球の通出落下を好適に規制することができ、球払出装置の脱着作業等に際して貯留球が機外へ落下する不都合を好適に回避し得る。しかも貯留球通出規制部材は、第１位置および第２位置の何れの位置にあっても、適切な位置決めがなされると共にこの位置での固定保持がなされる。
また貯留球通出切換部材は、球送出路部に設けた球送出案内路と球抜案内路との分岐部位に臨む第２収容設置部に装着され、簡単な指先操作で第１位置(通出規制状態)から第２位置(通出許容状態)へ移動させるだけで球送出案内路内の貯留球を球抜案内路内へ好適に通出案内でき、球貯留排出経路部内の全ての貯留球を球排出路から機外へ好適に排出し得る。しかも貯留球通出規制部材は、第１位置および第２位置の何れの位置にあっても、適切な位置決めがなされると共にこの位置での固定保持がなされる。従って、球抜き操作に際して電磁ソレノイドや複数の部材からなる球流路切換装置等を使用しないため、部品点数の削減および組立工数の減少に伴って製造コストの低廉に寄与し得る。更には、パチンコ遊技機の前面側からの球抜き操作が不可能であるから、針金状材等を使用した不正な球抜きによる賞球の獲得を完全に防止し得る利点もある。
なお、貯留球通出規制部材および貯留球通出切換部材は、貸球用の貯留球を通出案内する第１球送出案内路および賞球用の貯留球を通出案内する第２球送出案内路を有する場合でも、夫々の球送出案内路に規制板部を臨ませるように第１収容設置部および第２収容設置部へ設置されるから、両球送出案内路内の夫々の貯留球に対する通出規制および通出許容をワンタッチ操作で同時に行なうことができる。
【図面の簡単な説明】
【図１】球貯留排出経路部と球払出装置および球排出路との間に設けた貯留球の通出・規制機構を示す正面図である。
【図２】貯留球の通出・規制機構を構成する貯留球通出ユニットを組付けた状態で示す機構セット盤の部分斜視図である。
【図３】貯留球の通出・規制機構を構成する貯留球通出ユニットを組付ける状態で示す機構セット盤の部分斜視図である。
【図４】貯留球の通出・規制機構を構成する球送出路部と、この球送出路部に装着される貯留球通出規制部材および貯留球通出切換部材を示す斜視図である。
【図５】球送出路部を構成する第１基材および第２基材を、一部破断して背面側から視た分解斜視図である。
【図６】球送出路部を構成する第１基材および第２基材を、正面側から視た分解斜視図である。
【図７】球送出路部の第１収容設置部に装着した貯留球通出規制部材の各状態を示す底面図であって、(ａ)は、貯留球通出規制部材が第２位置に到来している状態、(ｂ)は、第２位置から第１位置へ移動している状態、(ｃ)は、第１位置へ到来した状態を示している。
【図８】  (ａ)は、第２位置に到来している貯留球通出規制部材の斜視図、(ｂ)は、第１位置に到来している貯留球通出規制部材の斜視図である。
【図９】  (ａ)は、貯留球通出規制部材が第１位置に到来していることで、各球送出案内路内の貯留球の通出が許容された状態を示す一部破断側面図、(ｂ)は、貯留球通出規制部材が第２位置に到来していることで、各球送出案内路内の貯留球の通出が規制された状態を示す一部破断側面図である。
【図１０】  (ａ)は、第１位置に到来している貯留球通出切換部材の斜視図、(ｂ)は、貯留球通出切換部材が第１位置に到来していることで、各球送出案内路内の貯留球の通出が規制された状態を示す一部破断側面図である。
【図１１】  (ａ)は、第１位置から第２位置へ移動している貯留球通出切換部材の斜視図、(ｂ)は、第１貯留球通出切換部材が第１位置から第２位置へ移動している状態を示す一部破断側面図である。
【図１２】  (ａ)は、第２位置に到来している貯留球通出切換部材の斜視図、(ｂ)は、貯留球通出切換部材が第２位置に到来していることで、各球送出案内路内の貯留球の通出が許容された状態を示す一部破断側面図である。
【図１３】球送出路部の球抜案内路から球排出路へ貯留球が通出される状態を示す機構セット盤の部分正面図である。
【図１４】  (ａ)は、貯留球通出規制部材が第１位置に到来していることで、球送出案内路内の貯留球の通出が許容された状態を破断して示す正面図、(ｂ)は、貯留球通出規制部材が第２位置に到来していることで、球送出案内路内の貯留球の通出が規制された状態を破断して示す正面図である。
【図１５】貯留球通出切換部材が第２位置に到来することで、球送出案内路内の貯留球が球抜案内路側へ通出される球抜き状態を破断して示す正面図である。
【図１６】本実施例の貯留球の通出・規制機構が実施されるカード式パチンコ機の正面図である。
【図１７】図１６に示したカード式パチンコ機の背面図である。
【符号の説明】
１４  球貯留排出経路部，              ２４ａ  第１球送出路(球送出路)
２４ｂ  第２球送出路(球送出路)，      ２８  球送出路部材(球送出路部)
２９ａ  第１球送出案内路，            ２９ｂ  第２球送出案内路
２９ｃ,２９ｄ  球送出口，             ３０  球抜案内路
３０ａ,３０ｂ  球通入口，             ３６  姿勢保持部
３８  第１フック片(第１係合片)，      ３９  第２フック片(第２係合片)
４９  第１開口部(第１係合部)，        ５０  第２開口部(第２係合部)
５６  第１収容設置部，                ５８  第２収容設置部
６０  貯留球通出規制部材              ６１  規制板部
６２  把持片，                        ６４  第１球通過口(球通過口)
６５  第２球通過口(球通過口)，        ６６  球規制片部
６８  支持片，                        ６９  係合フック片(係合片)
６７  球規制片部，                    ７０  操作片
７２  係合片(係合部),                 ７５  貯留球通出切換部材
７６  規制板部，                      ７７  姿勢保持部
７８  把持片，                        ７９  第１球通過口(球通過口)
８０  第２球通過口(球通過口)，        ８１  係合フック片(係合片)
８２  操作片，                        ８４  係合片(係合部)
８５  支持片，                        ８７  球通路
Ｌ1  第１球払出装置，                 Ｌ2  第２球払出装置
Ｑ  賞球払出路，                      Ｒ  球排出路
【図１】
0004446219.tif 000002
【図２】
0004446219.tif 000003
【図３】
0004446219.tif 000004
【図４】
0004446219.tif 000005
【図５】
0004446219.tif 000006
【図６】
0004446219.tif 000007
【図７】
0004446219.tif 000008
【図８】
0004446219.tif 000009
【図９】
0004446219.tif 000010
【図１０】
0004446219.tif 000011
【図１１】
0004446219.tif 000012
【図１２】
0004446219.tif 000013
【図１３】
0004446219.tif 000014
【図１４】
0004446219.tif 000015
【図１５】
0004446219.tif 000016
【図１６】
0004446219.tif 000017
【図１７】
0004446219.tif 000018